(57)【要約】【課題】  畳の少なくとも１辺に柔軟な上向傾斜面を形成し、車椅子がこの柔軟な傾斜面上をスムーズに乗り降りすることができ、また年寄りがこの傾斜面でつまずくことがなく、さらに風呂場等の水周りで使用できて水はけの良いバリアフリー用畳を提供する。【解決手段】  平面の撓みに剛性を有していて厚み方向に柔軟性を有するプラスティック段ボールに、平面可撓性を有していて厚み方向に柔軟性を有する発泡ポリプロピレンを積層した層状畳床芯材からなる畳の少なくとも１辺を、該畳上面から下面にかけて傾斜状にした上向傾斜面を形成したバリアフリー用畳とした。【選択図】図２
2010174608.tif 000002
【特許請求の範囲】
【請求項１】
平面の撓みに剛性を有していて厚み方向に柔軟性を有する少なくともプラスティック段ボールを積層した層状畳床芯材からなる畳の少なくとも１辺を該畳上面から下面にかけて傾斜状にした上向傾斜面を形成したバリアフリー用畳。
【請求項２】
前記プラスティック段ボールに、平面可撓性を有していて厚み方向に柔軟性を有する発泡ポリプロピレンを積層した層状畳床芯材とした請求項１記載のバリアフリー用畳。
【請求項３】
上向傾斜面の上面にプラスティック段ボールを敷設した請求項１又は２記載のバリアフリー用畳
【発明の詳細な説明】
【発明の詳細な説明】
【技術分野】
【０００１】  本発明は、平面の撓みに剛性を有していて厚み方向に柔軟性を有するプラスティック段ボールを積層した層状畳床芯材からなる畳の少なくとも１辺に上向傾斜面を形成し、車椅子がこの傾斜面上をスムーズに乗り降りすることができ、また年寄りがこの傾斜面でつまずくことのなく、さらに風呂場等の水周りで使用できて水はけの良いバリアフリー用畳に関するものである。
【背景技術】
【０００２】  例えば、特許文献１には、置畳の製造工程において傾斜材を周辺部の任意の１辺から４辺に内蔵しておくことで使用者は特に意識することなく畳と床面との段差を軽減し、より安全に設置することができる端部に傾斜形状を有する置畳が記載されている。【０００３】  そして、この発明においては、「図１、図２に示すように通常使用するインシュレーションボードやその他の様々な素材の畳床の切り口部分に、木製あるいは樹脂製その他ある程度の表面強度のある素材で成形した傾斜材を貼り付けておくか、あるいは畳床の端部を傾斜状に面取り加工したものを使用し、それらを一体的に天然イグサもしくは和紙、繊維等の素材による表面材を使い巻き込み、縫着あるいは接着により畳に仕上げる」［０００７］旨説明されている。【０００４】  しかしながら、この発明においては、平面の撓みに剛性を有していて厚み方向に柔軟性を有する少なくともプラスティック段ボールを積層した層状畳床芯材でないため、傾斜面表面が硬く厚み方向に柔軟性がないため車椅子をソフトに乗り降りさせることができないため傾斜面でガタツキや振動が発生し易い。また、風呂場等の水周りでは水はけが悪く使用に適さない。【０００５】  また、特許文献２には、断面が不等辺直角三角形の棒状の炭酸カルシウム入り合成樹脂発泡体であって、その断面の一番長い辺に突き板が貼られ、突き板が貼られていない２辺の両方またはどちらか一辺に粘着加工がしてある置き畳用バリアフリー用傾斜材料が記載されている。【０００６】  そして、この考案の傾斜材料は、カッター等で簡単に切断して長さを調節することが可能で、不等辺直角三角形の柔軟な棒状炭酸カルシウム入り合成樹脂発泡体のその断面の長い辺に突き板が貼られていて、突き板が貼られていない２辺の両方またはどちらか一辺に粘着加工がしてある［０００３］旨説明されている。【０００７】  しかしながら、この考案の不等辺直角三角形の棒状炭酸カルシウム入り合成樹脂発泡体は単に柔軟である旨記載されてはいるが、平面の撓みに剛性を有していないので、車椅子が傾斜部分を乗り降りしたときに、逆に柔軟すぎて段差が生じ、かつ段差に足先が引っかかりつまずき易い。また、傾斜面の突き板は何のために接着されているか、またどのような材質か記載されておらず傾斜面の作用が明確でない。さらに、プラスティック段ボールを使用していないので傾斜部分での水はけが悪く、風呂場等の水周りでの使用に適さない。【０００８】  また、特許文献３、特許文献４、特許文献５、特許文献６、特許文献７、特許文献８、特許文献９には、畳周囲に設けた傾斜面を有する枠要素や畳見切縁等が記載されているが、平面の撓みに剛性を有していて厚み方向に柔軟性を有するプラスティック段ボールを積層した層状畳床芯材からなる旨、及び風呂場等の水周りで使用するため傾斜部が水はけの良いプラスティック段ボールを使用する点が記載されていない。【０００９】特許文献１  特開２００７−０２３７４５号
特許文献２  実用新案登録３０７４６６５号公報
特許文献３  特開２００４−１９７３５２号公報、
特許文献４  特開平６−３２２９４３公報、
特許文献５  特開２００２−３７１６９８号公報、
特許文献６  特開２００３−００３６５１号公報、
特許文献７  特開２００１−１５２６５０号公報、
特許文献８  特開２００４−０７６２９９号公報、
特許文献９  特開平８−２７７６２０公報
【発明が解決しようとする課題】
【００１０】  本発明は、平面の撓みに剛性を有していて厚み方向に柔軟性を有するプラスティック段ボールを積層した層状畳床芯材からなる畳の少なくとも１辺に上向傾斜面を形成し、車椅子がこの傾斜面上をスムーズに乗り降りすることができ、また年寄りがこの傾斜面でつまずくことのなく、さらに風呂場等の水周りで使用できて水はけの良いバリアフリー用畳を提供することにある。
【課題を解決する手段】
【００１１】    請求項１の発明は、平面の撓みに剛性を有していて厚み方向に柔軟性を有する少なくともプラスティック段ボールを積層した層状畳床芯材からなる畳の少なくとも１辺を該畳上面から下面にかけて傾斜状にした上向傾斜面を形成したバリアフリー用畳を提供するものである。
【００１２】  この発明においては、平面の撓みに剛性を有していて厚み方向に柔軟性を有するプラスティック段ボールを積層した層状畳床芯材とし、畳の少なくとも１辺に上向傾斜面を形成し、車椅子がこの傾斜面上をソフトに乗り降りすることができ、また年寄りがこの傾斜面でつまずくことのなく、さらに風呂場等の水周りで使用できて上向傾斜面での水はけの良いバリアフリー用畳を提供することが出来る。
【００１３】  また、請求項２の発明は、前記プラスティック段ボールに、平面可撓性を有していて厚み方向に柔軟性を有する発泡ポリプロピレンを積層した層状畳床芯材とした請求項１記載のバリアフリー用畳を提供するものである。
【００１４】  この発明においては、プラスティック段ボールに、厚み方向に柔軟性を有する発泡ポリプロピレンを積層したので、プラスティック段ボールに車椅子の荷重が直接がかかることなくプラスティック段ボールの割れや破損を防止でき、また車椅子はこの傾斜面上をよりソフトに乗り降りすることができる。
【００１５】  さらに、請求項３の発明は、上向傾斜面の上面にプラスティック段ボールを敷設した請求項１又は２記載のバリアフリー用畳を提供するものである。
【００１６】  この発明においては、上向傾斜面の上面にプラスティック段ボールを敷設したので、この難可撓性及び柔軟性により車椅子による段差を生じることなくこの傾斜面上をよりソフトに乗り降りすることができ、また年寄りがこの傾斜面でつまずくことのなく、プラスティック段ボール等を積層した傾斜部の層状畳床芯材の破損を防止することができる。
【発明を実施するための形態】
【００１７】  以下に本発明の一実施形態を図面に基づき説明する。図１は本発明の一実施例を示すバリアフリー用畳１の平面図であり、２は傾斜面、３は畳表、４は畳縁である。
【００１８】  図２は、図１のＩ−Ｉ線断面図であり、バリアフリー用畳１は平面の撓みに剛性を有していて厚み方向に柔軟性を有するプラスティック段ボール５・・・と平面可撓性を有していて厚み方向に柔軟性を有する発泡ポリプロピレン６・・・とを交互に積層して接着した層状畳床芯材７からなり、プラスティック段ボール５・・・端部を傾斜面に向けて積層することにより、風呂場等の水周りで使用して傾斜面からの水はけの良いバリアフリー用畳としている。畳表３は、樹脂の糸を編み込んだ多数の編目が形成されているので、プラスティック段ボール５・・・からの水はこれら編目を介して傾斜面外方へ容易に排出される。図２の実施例は、特に薄いバリアフリー用畳の構造に適している。
【００１９】  この様にして、平面の撓みに剛性を有していて厚み方向に柔軟性を有するプラスティック段ボール５・・・に平面可撓性を有していて厚み方向に柔軟性を有する発泡ポリプロピレン６・・・を積層した層状畳床芯材７とすることにより、プラスティック段ボール５・・・に車椅子の加重の衝撃が直接がかかることなく、発泡ポリプロピレン６・・・がプラスティック段ボール５・・・の緩衝材として割れや破損を防止できると共に、また車椅子はこの傾斜面をよりソフトに乗り降りすることができる。
【００２０】  図３は、図２に対応する他の実施例であり、バリアフリー用畳１１は壊れやすい可塑性を有する２枚の発泡ポリスチレン１８ａ、１８ｂ間にプラスティック段ボール１５ｂを、上部発泡ポリスチレン１８ａの上部にプラスティック段ボール１５ａを積層し、上部プラスティック段ボール１５ａ上部に発泡ポリプロピレン１６ａを、下部発泡ポリスチレン１８ｂの下部に発泡ポリプロピレン１６ｂを積層した畳床２０からなる。
【００２１】  また、これら２枚の発泡ポリスチレン１８ａ、１８ｂの少なくとも１側辺には、図２と同様に、平面の撓みに剛性を有していて厚み方向に柔軟性を有するプラスティック段ボール１５・・・と平面可撓性を有していて厚み方向に柔軟性を有する発泡ポリプロピレン１６・・・とを交互に積層して接着した側辺層状畳床芯材１７、１７を設けている。そして、この層状畳床芯材１７、１７を傾斜状に切断した切断面上面に別個のプラスティック段ボール１９を積層し、このプラスティック段ボール１９と前記発泡ポリプロピレン１６ａとに畳表１３を被覆している。
【００２２】  この様にして、平面の撓みに剛性を有していて厚み方向に柔軟性を有するプラスティック段ボール１５・・・に平面可撓性を有していて厚み方向に柔軟性を有する発泡ポリプロピレン１６・・・を積層した層状畳床芯材１７、１７とすることにより、プラスティック段ボール１５・・・に直接加重の衝撃がかかることなく、発泡ポリプロピレン１６・・・がプラスティック段ボール１５・・・の緩衝材として車椅子等の加重に対する直接の衝撃による割れや破損を防止できると共に、また車椅子はこの傾斜面上をよりソフトに乗り降りすることができる。
【００２３】  また、割れやすい可塑性を有する内部の２枚の発泡ポリスチレン１８ａ、１８ｂも上記層状畳床芯材１７、１７内部にあるため、直接加重の負担がかかることなく、これら層状畳床芯材１７、１７が緩衝材として加重の衝撃による発泡ポリスチレン１８ａ、１８ｂの割れや破損を防止できると共に、また車椅子はこの傾斜面上をよりソフトに乗り降りすることができる。
【００２４】  さらに、プラスティック段ボール１５・・・、１９を傾斜部に積層することにより、風呂場等の水周りで使用して傾斜面からの水はけの良いバリアフリー用畳としている。畳表１３は、樹脂の糸を編み込んだ多数の編目が形成されているので、プラスティック段ボール１５・・・端部からの水はこれら編目を介して外方へ容易に排出される。図３の実施例は、比較的厚みのあるバリアフリー用畳の構造に適している。尚、上記実施例では畳の１辺に傾斜面を形成しているが、２〜４辺または全周囲に亘って形成しても良い。また、畳縁４，４側を傾斜面としても良い。
【発明の効果】
【００２５】  上記の如く本発明においては、平面の撓みに剛性を有していて厚み方向に柔軟性を有する少なくともプラスティック段ボールを積層した層状畳床芯材として、これにより畳の少なくとも１辺に上向傾斜面を形成し、車椅子がこの傾斜面上をスムーズに乗り降りすることができ、また年寄りがこの傾斜面でつまずくことがなく、さらに風呂場等の水周りで使用できて上向傾斜面からの水はけの良いバリアフリー用畳を提供することが出来る。
【図面の簡単な説明】
【００２６】
【図１】バリアフリー用畳の平面図
【図２】図１のＩ−Ｉ線断面説明図
【図３】図２に対応する他の実施例の断面説明図
【符号の説明】１、１１                          畳
２、１２                          傾斜面
３、１３                          畳表
５、１５、１５ａ、１５ｂ、１９    プラスティック段ボール
６、１６、１６ａ、１６ｂ          発泡ポリプロピレン
７、１７                          層状畳床芯材
１８、１８                        可塑性発泡ポリスチレン
【図１】
2010174608.tif 000003
【図２】
2010174608.tif 000004
【図３】
2010174608.tif 000005